(57)【要約】【課題】  製造の初期費用を低減することができるプロジェクタ装置を提供する。【解決手段】  プロジェクタ装置１０は、像を投写するための機器が筐体に配置されている。前記筐体は、前記像を投写するための機器が配置されたボトムカバー１４と、前記ボトムカバー１４を被覆するトップカバー１６とを備えている。前記トップカバー１６は、前記ボトムカバー１４に着脱可能に装着される外殻カバー４２と、前記外殻カバー４２の一部に対して、複数から選択的に着脱可能に配設される操作部カバー４４とを備えている。【選択図】    図３
2007164075.tif 000002
【特許請求の範囲】
【請求項１】
像を投写するための機器が筐体に配置された投写型表示装置であって、
前記筐体は、
前記像を投写するための機器が配置されたボトムカバーと、
前記ボトムカバーを被覆するトップカバーと
を具備し、
前記トップカバーは、
前記ボトムカバーに着脱可能に装着される第１のカバーと、
前記第１のカバーの一部に対して、複数から選択的に着脱可能に配設される第２のカバーと
を備えていることを特徴とする投写型表示装置。
【請求項２】
前記第１のカバーは、前記像を投写するための機器を操作するための回路基板が配設されるとともに、前記第２のカバーが着脱可能に装着されるカバー受部を備え、
前記第２のカバーは、前記回路基板に電気信号を送るボタンが配設される操作部を備え、前記第１のカバーの前記カバー受部を着脱可能に覆うことを特徴とする請求項１に記載の投写型表示装置。
【請求項３】
前記第１のカバーは、前記像を投写するための機器によって出力される像の出力状態を手動で合わせるための操作ノブが配置されるように開口された第１のカバー開口部を前記カバー受部に備え、
前記第２のカバーは、前記像を投写するための機器に前記操作ノブが配置されているときにのみ、前記第１のカバー開口部と協働して前記操作ノブを配置して外部に露出させるための第２のカバー開口部を備えていることを特徴とする請求項２に記載の投写型表示装置。
【請求項４】
前記ボトムカバーと、前記第１のカバーとは、嵌合および／またはネジ締結により互いに対して着脱される接続部をそれぞれ備えていることを特徴とする請求項１ないし請求項３のいずれか１に記載の投写型表示装置。
【請求項５】
前記第１のカバーと前記第２のカバーとは、嵌合および／またはネジ締結により互いに対して着脱される接続部をそれぞれ備えていることを特徴とする請求項１ないし請求項４のいずれか１に記載の投写型表示装置。
【請求項６】
前記第１のカバーおよび前記第２のカバーには、互いに協働して前記トップカバーを統一的に構成するデザインが付されていることを特徴とする請求項１ないし請求項５のいずれか１に記載の投写型表示装置。
【発明の詳細な説明】
【技術分野】
【０００１】
本発明は、スクリーンなどに像を投写するための投写型表示装置に関する。
【背景技術】
【０００２】
例えば特許文献１には、デジタルカメラの技術が開示されている。このデジタルカメラの液晶の表示窓は透明プレートで覆われている。そして、この透明プレートの縁部には液晶パネルの表示画面の周囲を遮蔽する枠が印刷されている。このため、液晶パネルの形状や外形サイズが変わるようなことがあっても、印刷の枠の大きさ（太さ）を変化させることによって外装パネルを共通化して使用することができる。
【特許文献１】特開２００２−７７６７７号公報
【発明の開示】
【発明が解決しようとする課題】
【０００３】
特許文献１に開示されたデジタルカメラの技術では、透明プレートに仕様差を付すには、このプレートに印刷を施すことが必要である。
【０００４】
また、投写型表示装置では、同じ系列でありながら、例えば操作部の仕様が異なる場合、例えばトップカバーの仕様の違いごとにトップカバー用の金型を製造する必要がある。したがって、新たな機種の投写型表示装置を製造する場合、その機種ごとにトップカバー用の金型の製造費用が必要であるなど、大きな初期費用を要する。
【０００５】
この発明は、このような課題を解決するためになされたものであり、その目的とするところは、製造の初期費用を低減することができる投写型表示装置を提供することにある。
【課題を解決するための手段】
【０００６】
上記課題を解決するために、この発明に係る、像を投写するための機器が筐体に配置された投写型表示装置は、前記筐体が、前記像を投写するための機器が配置されたボトムカバーと、前記ボトムカバーを被覆するトップカバーとを具備し、前記トップカバーが、前記ボトムカバーに着脱可能に装着される第１のカバーと、前記第１のカバーの一部に対して、複数から選択的に着脱可能に配設される第２のカバーとを備えていることを特徴とする。  
第１のカバーを共通化して、第２のカバーを第１のカバーに対して、機種等に合わせて選択的に装着することができる。このため、複数の機種の投写型表示装置を製造する場合であっても、第１のカバーの製造用の金型を共通化することができる。すなわち、複数の機種の投写型表示装置を製造する場合、第２のカバーのみ、複数の金型からその機種に合わせて選択した金型によって製造すれば良いので、初期費用を大きく低減させることができる。
【発明の効果】
【０００７】
この発明によれば、製造の初期費用を低減することができる投写型表示装置を提供することができる。
【発明を実施するための最良の形態】
【０００８】
以下、図面を参照しながらこの発明を実施するための最良の形態について説明する。ここでは、ビデオプロジェクタ装置（投写型表示装置）の一実施の形態について図１ないし図４を用いて説明する。  
図１（Ａ）および図１（Ｂ）に示すビデオプロジェクタ装置１０は、略直方体状の筐体１２内に、各種機器がそれぞれユニット化やブロック化などされた状態で配設されている。  
ここで、図１（Ａ）には、手動でピント（フォーカス）や画角などの操作が必要なビデオプロジェクタ装置１０を示す。図１（Ｂ）には自動でピントや画角などの調整を行なうことができるビデオプロジェクタ装置１０を示す。すなわち、図１（Ａ）および図１（Ｂ）には、互いに異なる機種のビデオプロジェクタ装置１０を示している。
【０００９】
図１（Ａ）および図１（Ｂ）に示すように、筐体１２は、ボトムカバー１４と、トップカバー１６とを備えている。ボトムカバー１４は、略矩形状に形成された基部１４ａと、この基部１４ａの縁部からそれぞれ立設され、トップカバー１６が係合等によって着脱可能に装着される立設部１４ｂとを備えている。このボトムカバー１４は、例えば同じ系列の複数の機種に共通して使用される。
【００１０】
図２に示すように、ボトムカバー１４の基部１４ａには、映像をスクリーン（図示せず）などに投写するのに必要な機器（光学系）が所定の位置に配置されている。図２中のボトムカバー１４の手前側には、電源ユニット２２が配設されている。このボトムカバー１４の略中央やや左側には、白色光を出力可能な光源ユニット２４が配設されている。この光源ユニット２４には、カラーフィルタ２６が隣接した位置に配置されている。このカラーフィルタ２６には、画像生成装置２８が隣接した位置に配置されている。この画像生成装置２８には、投写光学系３０が隣接した位置に配置されている。電源ユニット２２から供給される電力によって画像生成装置２８や投写光学系３０等の光学系が動作される。このため、光源ユニット２４から発せられた光はカラーフィルタ２６を通して画像生成装置２８によって画像情報を形成して、投写光学系３０から外部に像が出力される。すなわち、スクリーンなどに像が投写される。なお、図示しないが、このような光学系以外にも、画面機能、制御機能、音響機能、冷却機能などを果たす部材やユニットがボトムカバー１４に組み込まれている。
【００１１】
図１（Ａ）および図１（Ｂ）に示すトップカバー１６は、外殻カバー（第１のカバー）４２（図３（Ａ）参照）と、この外殻カバー４２に着脱可能に装着される操作部カバー（第２のカバー）４４（図３（Ｂ）および図３（Ｃ）参照）とを備えている。  
操作部カバー４４は、略Ｌ字状に形成されている。この操作部カバー４４は、外殻カバー４２の上面に配置されるとともに、側面にも配置される。そして、この操作部カバー４４は、外殻カバー４２の後述する操作部カバー受部４８に対して例えば嵌合により着脱可能である。
【００１２】
ここで、図３（Ａ）に示す外殻カバー４２は、複数の機種に共通して使用される。一方、図３（Ｂ）に示す操作部カバー４４は、図１（Ａ）に示すプロジェクタ装置１０に対応する。また、図３（Ｃ）に示す操作部カバー４４は、図１（Ｂ）に示すプロジェクタ装置１０に対応する。すなわち、操作部カバー４４は、機種ごとに適宜に選択されて使用される。
【００１３】
図３（Ａ）に示すように、外殻カバー４２は、ボトムカバー１４とともに筐体１２の外殻を構成する外殻部４６と、操作部カバー４４が着脱可能に装着される操作部カバー受部（第２のカバー４４を受けるカバー受部）４８とを備えている。操作部カバー受部４８は、操作部カバー４４の上面が外殻部４６の上面と面一（図４（Ｂ）および図４（Ｃ）参照）となるように、外殻部４６の上面に対して凹まされていることが好適である。外殻部４６は、外側に露出されているため、例えば光沢塗料などが塗布されるなど、外観として好ましいデザインが付されている。この外殻部４６は、塗料などによって模様を付したりするなど、外観を容易に変更することができる。操作部カバー４４も、外殻カバー４２とともに筐体１２の外殻を構成する。このため、操作部カバー４４は、外殻カバー４２と協働してトップカバー１６としてデザイン的な統一感を出したり、又は、外殻カバー４２に対して独立的なデザインを付すなど、適宜なデザインがなされている。したがって、外殻カバー４２および操作部カバー４４にデザインを付すことによって、プロジェクタ装置１０が異なる機種であっても同じ系列商品を構成したり、同じ機種であっても異なる系列商品を構成したりすることができ、商品（ビデオプロジェクタ装置１０）の付加価値を向上させることができる。
【００１４】
外殻部４６の縁部には、共通に使用されるボトムカバー１４の立設部１４ｂに対して例えば嵌合によって接続される嵌合部や、ネジやナットによる締結部などの接続部６０が形成されている。このため、外殻カバー４２は、外殻部４６の嵌合部や締結部などの接続部６０によって、ボトムカバー１４の嵌合部や締結部などの接続部５８に容易に着脱可能である。もちろん、外殻部４６の嵌合部や締結部のうち、一方のみ形成されていることも好適であるし、両者が形成されていることも好適である。このため、ボトムカバー１４の基部１４ａに配設された部材や、外殻カバー４２に配設された後述する操作基板５０等を容易にメンテナンスすることができる。
【００１５】
外殻カバー４２の操作部カバー受部４８には、操作部カバー４４が嵌合によって接続される嵌合部や、ネジやナットによる締結部などの接続部６２が形成されている。図３（Ｂ）および図３（Ｃ）に示すように、操作部カバー４４には、操作部カバー受部４８と同様に、嵌合部や締結部などの接続部６４が形成されている。このため、外殻カバー４２の操作部カバー受部４８の接続部６２と、操作部カバー４４の接続部６４とによって、両者を互いに対して着脱可能である。
【００１６】
さらに、図４（Ｂ）および図４（Ｃ）に示すように、操作部カバー受部４８の裏面には、画像生成装置２８や光源ユニット２４等を操作（制御）するための操作基板（回路基板）５０が配設されている。この操作基板５０は、他の機能を果たすユニットなどに対してケーブル（図示せず）等により電気的に接続されている。
【００１７】
外殻カバー４２の操作部カバー受部４８の裏面には、操作ボタン５２が配設されている。これら操作ボタン５２は、操作部カバー４４が操作部カバー受部４８に装着されたとき、操作部カバー４４から外側に突出される。これら操作ボタン５２は、その押圧によって操作基板５０に電気信号を伝達する。このため、操作基板５０は、その操作ボタン５２の押圧に合わせて適宜の信号を画像生成装置２８や光源ユニット２４等に伝達する。
【００１８】
ところで、機種によっては投写光学系３０のピントや画角を手動で合わせなければならないもの（図１（Ａ）参照）や、自動で合わせることが可能なもの（図１（Ｂ）参照）がある。すなわち、投写光学系３０は、複数から機種に合わせて適宜に選択されている。
【００１９】
図１（Ａ）に示すプロジェクタ装置１０のように、手動でピントや画角を合わせなければならない場合、投写光学系３０には、そのための操作ノブ３０ａ（図２参照）が配設されている。このため、この操作ノブ３０ａを操作することによって、ピントや画角を合わせることができる。外殻カバー４２および操作部カバー４４には、このような場合に備えて、操作ノブ３０ａを配置して所定の範囲内で操作するための開口部４２ａ，４４ａ（図３（Ａ）および図３（Ｂ）参照）が形成されている。このため、投写光学系３０の操作ノブ３０ａが外殻カバー４２および操作部カバー４４の開口部４２ａ，４４ａを通して操作ノブ３０ａが露出される。
【００２０】
一方、図１（Ｂ）に示すプロジェクタ装置１０のように、投写光学系３０のピントや画角を自動で合わせることが可能な場合、操作ノブ３０ａ（図１（Ａ）参照）は設けられていない。このため、外殻カバー４２を共通化した上で、筐体１２の内部に埃等が入ることを防止するため、操作部カバー４４に開口部（図３（Ｃ）参照）を設けなければ良い。
【００２１】
すなわち、外殻カバー４２の操作部カバー受部４８には、常に開口部４２ａが形成されている。そして、操作部カバー４４は、ピントや画角を手動で調整する機種（図１（Ａ）参照）の場合には開口部４４ａが形成され（図３（Ｂ）参照）、ピントや画角を自動で調整する機種（図１（Ｂ）参照）の場合には外殻カバー４２の操作部カバー受部４８に形成された開口部４２ａを覆うため、開口部は形成されていない（図３（Ｃ）参照）。
【００２２】
以上説明したように、この実施の形態によれば、以下の効果が得られる。  
トップカバー１６のうち、外殻カバー４２を共通化したので、異なる機種であっても、同一の外殻カバー４２を使用することができる。したがって、ボトムカバー１４、および、トップカバー１６の外殻カバー４２は、複数の機種を製造する場合であっても１つの金型を使用して製造すればよいので、金型の製作費を大きく削減することができる。そうすると、初期投資、すなわち、イニシャル費を抑制することができる。すなわち、ボトムカバー１４の金型を共通化し、さらに、トップカバー１６の外殻カバー４２の金型を共通化することによって、イニシャル費を大幅に抑制することができる。
【００２３】
また、外殻カバー４２に装着される操作部カバー４４を適宜に変更するだけで機種変更に対応することができる。このため、機種変更をする際には操作部カバー４４の金型のみを新たに用意すれば良く、イニシャル費を大幅に抑制することができる。
【００２４】
これまで、一実施の形態について図面を参照しながら具体的に説明したが、この発明は、上述した実施の形態に限定されるものではなく、その要旨を逸脱しない範囲で行なわれるすべての実施を含む。
【図面の簡単な説明】
【００２５】
【図１】本発明の一実施の形態に係るビデオプロジェクタ装置を示し、（Ａ）は手動でピントや画角を合わせることを要する機器、（Ｂ）は自動でピントや画角を合わせることが可能な機器を示す概略的な斜視図。
【図２】一実施の形態に係るビデオプロジェクタ装置のボトムカバーに、像を投写するための機器が配置された状態を示す概略的な斜視図。
【図３】一実施の形態に係るビデオプロジェクタ装置のトップカバーを示し、（Ａ）は共通に使用される外殻カバーを示す概略的な斜視図、（Ｂ）は外殻カバーに装着される、手動でピントや画角を合わせることを要する機器の操作部カバーを示す概略的な斜視図、（Ｃ）は外殻カバーに装着される、自動でピントや画角を合わせることが可能な機器の操作部カバーを示す概略的な斜視図。
【図４】（Ａ）は、自動でピントや画角を合わせることが可能な操作部カバーが外殻カバーに配置された状態を示す概略的な平面図、（Ｂ）は（Ａ）中の４Ｂ−４Ｂ線に沿う概略的な断面図、（Ｃ）は（Ａ）中の４Ｃ−４Ｃ線に沿う概略的な斜視図。
【符号の説明】
【００２６】
１６…トップカバー、４２…外殻カバー（第１のカバー）、４２ａ…開口部、４４…操作部カバー（第２のカバー）、４４ａ…開口部、４６…外殻部、４８…操作部カバー受部、５２…操作ボタン
【図１】
2007164075.tif 000003
【図２】
2007164075.tif 000004
【図３】
2007164075.tif 000005
【図４】
2007164075.tif 000006